(57)【要約】【課題】設置形態の自由度を向上する。【解決手段】マグネット吸着棚１は、背板３、背板３に対して枠状に立ち上がる側板４、及び背板に接合されたマグネット５を有する箱体６となるように組み合わせることが可能な複数の分割体７を備える。複数の分割体７のそれぞれは、背板３の一部となる背板部と、マグネット５の一部となるマグネット部と、を有し、マグネット部は、背板部に接合されている。【選択図】図１
2020178773.tif 000002
【特許請求の範囲】
【請求項１】
背板、前記背板に対して枠状に立ち上がる側板、及び前記背板に接合されたマグネットを有する箱体となるように組み合わせることが可能な複数の分割体を備え、
前記複数の分割体のそれぞれは、前記背板の一部となる背板部と、前記マグネットの一部となるマグネット部と、を有し、
前記マグネット部は、前記背板部に接合されている、
マグネット吸着棚。
【請求項２】
前記複数の分割体の一つである側板付分割体は、前記側板の一部となる側板部を更に有する、
請求項１に記載のマグネット吸着棚。
【請求項３】
前記複数の分割体の残りの全ては、前記側板の一部となる前記側板部を更に有する、
請求項２に記載のマグネット吸着棚。
【請求項４】
前記複数の分割体を組み合わせて前記箱体とした場合に、前記側板は、前記背板に対して垂直に立ち上がっている、
請求項２又は３に記載のマグネット吸着棚。
【請求項５】
前記複数の分割体を組み合わせて前記箱体とした場合に、前記側板は矩形の枠状となる、
請求項４に記載のマグネット吸着棚。
【請求項６】
前記側板部は、平板状に形成されている、
請求項５に記載のマグネット吸着棚。
【請求項７】
前記背板部に面する方向から見て、前記側板部は、前記背板部に対してＴ字状に延びている、
請求項６に記載のマグネット吸着棚。
【請求項８】
前記側板部に面する方向における前記背板部の長さは、前記背板部に面する方向における前記側板部の長さよりも長い、
請求項７に記載のマグネット吸着棚。
【請求項９】
前記側板部は、Ｌ字状に形成されている、
請求項５に記載のマグネット吸着棚。
【請求項１０】
前記側板部は、コ字状に形成されている、
請求項５に記載のマグネット吸着棚。
【請求項１１】
背板、前記背板に対して枠状に立ち上がる側板、及び前記背板に接合されたマグネットを有する箱体となるように組み合わせることが可能で、それぞれ、前記背板の一部となる背板部と、前記マグネットの一部となるマグネット部とを有するとともに、前記マグネット部が前記背板部に接合されている複数の分割体を備えるマグネット吸着棚の設置方法であって、
前記マグネット部を磁力吸着可能壁に吸着させる、
マグネット吸着棚の設置方法。
【請求項１２】
前記複数の分割体の一つである側板付分割体は、前記側板の一部となる側板部を更に有しており、
前記側板付分割体において、前記マグネット部を前記磁力吸着可能壁に吸着させる、
請求項１１に記載のマグネット吸着棚の設置方法。
【請求項１３】
前記複数の分割体が前記箱体に組み合わされるように、前記複数の分割体のそれぞれにおいて、前記マグネット部を前記磁力吸着可能壁に吸着させる、
請求項１１に記載のマグネット吸着棚の設置方法。
【発明の詳細な説明】
【技術分野】
【０００１】
本発明は、磁力吸着可能な壁に吸着されるマグネット吸着棚及びマグネット吸着棚の設置方法に関する。
【背景技術】
【０００２】
磁力吸着可能な壁面に設置される棚として、例えば、特許文献１に記載された磁着型什器がある。特許文献１に記載された磁着型什器は、磁石により壁面に磁着される複数の磁着支持具に桟部材が架設されて構成されている。
【先行技術文献】
【特許文献】
【０００３】
【特許文献１】特開２０１６−０４００１８号公報
【発明の概要】
【発明が解決しようとする課題】
【０００４】
しかしながら、特許文献１に記載された磁着型什器は、壁面への設置形態が決まっているため、設置形態の自由度が少ないという問題がある。
【０００５】
そこで、本発明は、設置形態の自由度を向上できるマグネット吸着棚及びマグネット吸着棚の設置方法を提供することを課題とする。
【課題を解決するための手段】
【０００６】
本発明に係るマグネット吸着棚は、背板、背板に対して枠状に立ち上がる側板、及び背板に接合されたマグネットを有する箱体となるように組み合わせることが可能な複数の分割体を備え、複数の分割体のそれぞれは、背板の一部となる背板部と、マグネットの一部となるマグネット部と、を有し、マグネット部は、背板部に接合されている。
【０００７】
このマグネット吸着棚では、背板、側板及びマグネットを有する箱体となるように組み合わせることが可能な複数の分割体のそれぞれが、背板部と背板部に接合されたマグネット部とを有するため、マグネット部を磁力吸着可能壁に吸着させることで、各分割体を磁力吸着可能壁に設置することができる。このため、例えば、複数の分割体を箱体となるように組み合わせて磁力吸着可能壁に設置することもでき、複数の分割体をバラバラにして磁力吸着可能壁に設置することもでき、任意の分割体のみを磁力吸着可能壁に設置することもできる。これにより、設置形態の自由度を向上できる。
【０００８】
複数の分割体の一つである側板付分割体は、側板の一部となる側板部を更に有してもよい。このマグネット吸着棚では、複数の分割体の一つである側板付分割体が側板の一部となる側板部を更に有するため、側板付分割体を磁力吸着可能壁に設置することで、側板付分割体の側板部が磁力吸着可能壁から立ち上がった状態とすることができる。これにより、例えば、側板部を棚板として利用することができる。
【０００９】
複数の分割体の残りの全ては、側板の一部となる側板部を更に有してもよい。このマグネット吸着棚では、複数の分割体の全てが側板の一部となる側板部を更に有するため、任意の分割体を磁力吸着可能壁に設置することで、この分割体の側板部が磁力吸着可能壁から立ち上がった状態とすることができる。このため、例えば、側板部を棚板として利用することができる。
【００１０】
複数の分割体を組み合わせて箱体とした場合に、側板は、背板に対して垂直に立ち上がっていてもよい。このマグネット吸着棚では、複数の分割体を組み合わせて箱体とした場合に、側板が背板に対して垂直に立ち上がっているため、側板部が磁力吸着可能壁に対して垂直に立ち上った状態とすることができる。このため、例えば、分割体の設置形態を調整することで、側板部に物を乗せやすくすることができる。また、例えば、複数の分割体を箱体となるように組み合わせて設置することで、箱体の内側（枠状の側板の内周側）に物を乗せやすくなる。
【００１１】
複数の分割体を組み合わせて箱体とした場合に、側板は矩形の枠状となっていてもよい。このマグネット吸着棚では、複数の分割体を組み合わせて箱体とした場合に、側板が矩形の枠状となるため、使い勝手が更に良くなる。
【００１２】
側板部は、平板状に形成されていてもよい。このマグネット吸着棚では、側板部が平板状に形成されているため、すっきりした印象を与えることができる。また、例えば、分割体の設置形態を調整することで、側板部に物を乗せやすくすることができる。
【００１３】
背板部に面する方向から見て、側板部は、背板部に対してＴ字状に延びていてもよい。このマグネット吸着棚では、背板部に面する方向から見て、側板部が背板部に対してＴ字状に延びているため、側板部が垂直方向に面するように分割体を磁力吸着可能壁に設置した際に、背板部に対して側板部をバランスよく支持することができる。
【００１４】
側板部に面する方向における背板部の長さは、背板部に面する方向における側板部の長さよりも長くてもよい。このマグネット吸着棚では、側板部に面する方向における背板部の長さが背板部に面する方向における側板部の長さよりも長いため、例えば、側板部が垂直方向に面するように磁力吸着可能壁に設置した際に、磁力吸着可能壁に対する側板部の立ち上がり長さに対して、側板部を支持する背板部の支持長さを長くすることができる。これにより、側板部の耐荷重性能を向上することができる。
【００１５】
側板部は、Ｌ字状に形成されていてもよい。このマグネット吸着棚では、側板部がＬ字状に形成されているため、例えば、分割体の設置形態を調整することで、側板部の何れかの面や、側板部の内隅となる部分に、物を乗せやすくすることができる。
【００１６】
側板部は、コ字状に形成されていてもよい。このマグネット吸着棚では、側板部がコ字状に形成されているため、例えば、分割体の設置形態を調整することで、側板部の何れかの面や、側板部の何れかの内隅となる部分に、物を乗せやすくすることができる。また、例えば、側板部が上方に開放されるように設置することで、側板部に乗せた物が両サイドから転げ落ちるのを抑制することができる。
【００１７】
本発明に係るマグネット吸着棚の設置方法は、背板、背板に対して枠状に立ち上がる側板、及び背板に接合されたマグネットを有する箱体となるように組み合わせることが可能で、それぞれ、背板の一部となる背板部と、マグネットの一部となるマグネット部とを有するとともに、マグネット部が背板部に接合されている複数の分割体を備えるマグネット吸着棚の設置方法であって、マグネット部を磁力吸着可能壁に吸着させる。
【００１８】
このマグネット吸着棚の設置方法に用いる複数の分割体は、背板、側板及びマグネットを有する箱体となるように組み合わせることが可能であり、それぞれ、背板の一部となる背板部と、マグネットの一部となるマグネット部とを有するとともに、マグネット部が背板部に接合されている。そして、このマグネット部を磁力吸着可能壁に吸着させることで、分割体を磁力吸着可能壁に設置することができる。
【００１９】
複数の分割体の一つである側板付分割体は、側板の一部となる側板部を更に有しており、側板付分割体において、マグネット部を磁力吸着可能壁に吸着させてもよい。このマグネット吸着棚の設置方法では、側板付分割体においてマグネット部を磁力吸着可能壁に吸着させるため、側板付分割体の側板部が磁力吸着可能壁から立ち上がった状態とすることができる。これにより、例えば、側板部を棚板として利用することができる。
【００２０】
複数の分割体が箱体に組み合わされるように、複数の分割体のそれぞれにおいて、マグネット部を磁力吸着可能壁に吸着させてもよい。このマグネット吸着棚の設置方法では、複数の分割体が箱体に組み合わされるように、複数の分割体のそれぞれにおいて、マグネット部を磁力吸着可能壁に吸着させるため、マグネット吸着棚を箱体として磁力吸着可能壁に設置することができる。
【発明の効果】
【００２１】
本発明によれば、設置形態の自由度を向上できる。
【図面の簡単な説明】
【００２２】
【図１】実施形態に係るマグネット吸着棚を磁力吸着可能壁に設置した状態を示す斜視図である。
【図２】実施形態に係るマグネット吸着棚を磁力吸着可能壁に設置した状態を示す正面図である。
【図３】図２に示すＩＩＩ−ＩＩＩ線における断面図である。
【図４】図４（ａ）は、分割体の平面図であり、図４（ｂ）は、分割体の左側面図である。
【図５】図５（ａ）は、分割体の平面図であり、図５（ｂ）は、分割体の左側面図である。
【図６】図６（ａ）は、分割体の平面図であり、図６（ｂ）は、分割体の左側面図である。
【図７】図７（ａ）は、分割体の平面図であり、図７（ｂ）は、分割体の左側面図である。
【図８】図８（ａ）は、分割体を磁力吸着可能壁に設置した状態を示す斜視図であり、図８（ｂ）は、図８（ａ）に示すＶＩＩＩｂ−ＶＩＩＩｂ線における断面図である。
【図９】図９（ａ）は、分割体を磁力吸着可能壁に設置した状態を示す斜視図であり、図９（ｂ）は、図９（ａ）に示すＩＸｂ−ＩＸｂ線における断面図である。
【図１０】変形例に係るマグネット吸着棚の変形例を示す正面図である。
【図１１】図１１（ａ）は、大型マグネット吸着棚を示す斜視図であり、図１１（ｂ）は、小型マグネット吸着棚を示す斜視図である。
【図１２】図１２（ａ）は、コルクボードを示す斜視図であり、図１２（ｂ）は、ブロックセットを示す斜視図である。
【図１３】図１３（ａ）は、第一ブロックを示す斜視図であり、図１３（ｂ）は、第二ブロックを示す斜視図であり、図１３（ｃ）は、第三ブロックを示す斜視図である。
【発明を実施するための形態】
【００２３】
以下、図面を参照して、実施形態のマグネット吸着棚について詳細に説明する。なお、全図中、同一または相当部分には同一符号を付し、重複する説明を省略する。
【００２４】
［マグネット吸着棚］
図１〜図３に示すように、本実施形態に係るマグネット吸着棚１は、磁力吸着可能壁２に設置するものである。磁力吸着可能壁２は、磁力により吸着することができる壁であり、鉄などの強磁性体を含む壁である。なお、建物等に磁力吸着可能壁２が施工されていない場合は、建物等の壁に、接着、嵌合、ねじ止め等により後付け用の磁力吸着可能壁２を取り付けることで、磁力吸着可能壁２にマグネット吸着棚１を設置することができる。
【００２５】
マグネット吸着棚１は、箱体６となるように組み合わせることが可能な複数の分割体７を備える。つまり、複数の分割体７は、組み合わせることにより、箱体６とすることが可能な形状となっている。
【００２６】
［箱体］
複数の分割体７が組み合わされてなる箱体６は、磁力吸着可能壁２に設置されることで、前面が開放されたオープン棚となる。箱体６は、背板３、背板３に対して枠状に立ち上がる側板４、及び背板３に接合されたマグネット５を有する。なお、背板３、側板４及びマグネット５は、複数の分割体７に対応して、それぞれ分割されている。背板３は、矩形の平板状に形成されている。側板４は、矩形の枠状に形成されて、背板３に対して垂直に立ち上がっている。側板４は、第一側板４ａと、第一側板４ａと隣り合う第二側板４ｂと、第二側板４ｂと隣り合う第三側板４ｃと、第三側板４ｃ及び第一側板４ａと隣り合う第四側板４ｄを有する。
【００２７】
背板３及び側板４の材料は、特に限定されるものではないが、例えば、木製、金属製、樹脂製、又はこれらの組み合わせとすることができる。マグネット５としては、磁力吸着可能壁２に吸着する磁力を有すれば、特に限定されるものではないが、例えば、マグネットシート、磁石等を用いることができる。本実施形態では、背板３及び側板４は木製であり、マグネット５はマグネットシートであるものとして説明する。
【００２８】
［複数の分割体］
複数の分割体７は、本実施形態では、第一分割体１０（側板付分割体）、第二分割体２０（側板付分割体）、第三分割体３０（側板付分割体）及び第四分割体４０（側板付分割体）の４つの分割体７で構成されている。但し、複数の分割体の数は、組み合わせることにより箱体６とすることができれば特に限定されるものではなく、例えば、３以下であってもよく、５以上であってもよい。
【００２９】
［第一分割体］
図１〜図４に示すように、第一分割体１０は、箱体６の最も上側に位置する部分を構成する。第一分割体１０は、箱体６の背板３の一部となる背板部１１と、箱体６の側板４の一部となる側板部１２と、箱体６のマグネット５の一部となるマグネット部１３と、を備える。
【００３０】
背板部１１は、矩形の平板状に形成されている。そして、複数の分割体７を組み合わせて箱体６とした場合に、背板部１１は、背板３を上下に四等分した場合の、最も上側に位置する部分を構成する。
【００３１】
側板部１２は、Ｌ字状に形成されている。側板部１２は、第一側板部１２ａと、第二側板部１２ｂと、を有する。第一側板部１２ａと第二側板部１２ｂとは、Ｌ字状に接合されている。そして、第一側板部１２ａ及び第二側板部１２ｂが背板部１１に対して垂直に立ち上がるように、背板部１１の端面が第一側板部１２ａ及び第二側板部１２ｂの側面に接合されている。第一側板部１２ａと第二側板部１２ｂとの接合、第一側板部１２ａ及び第二側板部１２ｂと背板部１１との接合は、特に限定されるものではなく、例えば、接着、嵌合、ねじ止め、これらの組み合わせにより行うことができる。
【００３２】
そして、複数の分割体７を組み合わせて箱体６とした場合に、側板部１２は、第一側板４ａの少なくとも一部及び第四側板４ｄの少なくとも一部となる。より具体的には、複数の分割体７を組み合わせて箱体６とした場合に、第一側板部１２ａは、第一側板４ａの全てとなり、第二側板部１２ｂは、第四側板４ｄの一部となる。なお、側板部１２は、箱体６の第二側板４ｂ及び第三側板４ｃを構成しない。
【００３３】
マグネット部１３は、背板部１１及び側板部１２に接合されている。より具体的には、マグネット部１３は、背板部１１及び側板部１２の、背板部１１に対して側板部１２が立ち上がる方向とは逆側の面に接合されている。背板部１１及び側板部１２に対するマグネット部１３の接合方法は、特に限定されるものではなく、例えば、接着により行われる。なお、マグネット部１３は、少なくとも背板部１１に接合されていればよく、側板部１２に接合されていなくてもよい。
【００３４】
［第二分割体］
図１〜図３及び図５に示すように、第二分割体２０は、箱体６における第一分割体１０の下側に位置する部分を構成する。第二分割体２０は、箱体６の背板３の一部となる背板部２１と、箱体６の側板４の一部となる側板部２２と、箱体６のマグネット５の一部となるマグネット部２３と、を備える。
【００３５】
背板部２１は、矩形の平板状に形成されている。そして、複数の分割体７を組み合わせて箱体６とした場合に、背板部２１は、背板３を上下に四等分した場合の、背板部１１の下側に位置する部分を構成する。
【００３６】
側板部２２は、平板状に形成されている。そして、側板部２２が背板部２１に対して垂直に立ち上がるように、背板部２１の端面が側板部２２の側面に接合されている。側板部２２と背板部２１との接合は、特に限定されるものではなく、例えば、接着、嵌合、ねじ止め、これらの組み合わせにより行うことができる。
【００３７】
そして、複数の分割体７を組み合わせて箱体６とした場合に、側板部２２は、第二側板４ｂの少なくとも一部となる。より具体的には、複数の分割体７を組み合わせて箱体６とした場合に、側板部２２は、第二側板４ｂの一部となる。なお、側板部２２は、箱体６の第一側板４ａ、第三側板４ｃ及び第四側板４ｄを構成しない。
【００３８】
背板部２１に面する方向（図５（ｂ）の左右方向）から見て、側板部２２は、背板部２１に対してＴ字状に延びている。より具体的には、背板部２１に面する方向から見て、側板部２２は、背板部２１の中央部に接合されており、背板部２１の両端部に接合されていない。
【００３９】
側板部２２に面する方向（図５（ａ）の左右方向）における背板部２１の長さは、背板部２１に面する方向（図５（ｂ）の左右方向）における側板部２２の長さよりも長い。この場合、背板部２１の長さは、側板部２２の長さの、０．５倍以上であることが好ましく、１．０倍以上であることがより好ましく、１．２倍以上であることが更に好ましい。背板部２１の長さと側板部２２の長さとの比を当該範囲とすることで、第二分割体２０の側板部２２を下面として磁力吸着可能壁２に設置した際に好適な耐荷重性を得やすくなる。また、背板部２１の長さの上限は特に制限されるものではないが、上記の好適な耐荷重性を有しつつ良好な見栄えを得やすいことから、背板部２１の長さは、側板部２２の長さの３倍以下であることが好ましく、２倍以下であることがより好ましい。
【００４０】
マグネット部２３は、背板部２１及び側板部２２に接合されている。より具体的には、マグネット部１３は、背板部２１及び側板部２２の、背板部２１に対して側板部２２が立ち上がる方向とは逆側の面に接合されている。背板部２１及び側板部２２に対するマグネット部２３の接合方法は、特に限定されるものではなく、例えば、接着により行われる。なお、マグネット部２３は、少なくとも背板部２１に接合されていればよく、側板部２２に接合されていなくてもよい。
【００４１】
［第三分割体］
図１〜図３及び図６に示すように、第三分割体３０は、箱体６における第二分割体２０の下側に位置する部分を構成する。第三分割体３０は、箱体６の背板３の一部となる背板部３１と、箱体６の側板４の一部となる側板部３２と、箱体６のマグネット５の一部となるマグネット部３３と、を備える。
【００４２】
背板部３１は、矩形の平板状に形成されている。そして、複数の分割体７を組み合わせて箱体６とした場合に、背板部３１は、背板３を上下に四等分した場合の、背板部２１の下側に位置する部分を構成する。
【００４３】
側板部３２は、平板状に形成されている。そして、側板部３２が背板部３１に対して垂直に立ち上がるように、背板部３１の端面が側板部３２の側面に接合されている。側板部３２と背板部３１との接合は、特に限定されるものではなく、例えば、接着、嵌合、ねじ止め、これらの組み合わせにより行うことができる。
【００４４】
そして、複数の分割体７を組み合わせて箱体６とした場合に、側板部３２は、第四側板４ｄの少なくとも一部となる。より具体的には、複数の分割体７を組み合わせて箱体６とした場合に、側板部３２は、第四側板４ｄの一部となる。なお、側板部３２は、箱体６の第一側板４ａ、第二側板４ｂ及び第三側板４ｃを構成しない。
【００４５】
背板部３１に面する方向（図６（ｂ）の左右方向）から見て、側板部３２は、背板部３１に対してＴ字状に延びている。より具体的には、背板部３１に面する方向から見て、側板部３２は、背板部３１の中央部に接合されており、背板部３１の両端部に接合されていない。
【００４６】
側板部３２に面する方向（図６（ａ）の左右方向）における背板部３１の長さは、背板部３１に面する方向（図６（ｂ）の左右方向）における側板部３２の長さよりも長い。この場合、上記の第二分割体２０と同様に、背板部３１の長さは、側板部３２の長さの、０．５倍以上であることが好ましく、１．０倍以上であることがより好ましく、１．２倍以上であることが更に好ましい。また、背板部２１の長さは、側板部２２の長さの３倍以下であることが好ましく、２倍以下であることがより好ましい。
【００４７】
マグネット部３３は、背板部３１及び側板部３２に接合されている。より具体的には、マグネット部１３は、背板部３１及び側板部３２の、背板部１１に対して側板部１２が立ち上がる方向とは逆側の面に接合されている。背板部３１及び側板部３２に対するマグネット部３３の接合方法は、特に限定されるものではなく、例えば、接着により行われる。なお、マグネット部３３は、少なくとも背板部３１に接合されていればよく、側板部３２に接合されていなくてもよい。
【００４８】
［第四分割体］
図１〜図３及び図７に示すように、第四分割体４０は、箱体６における第三分割体３０の下側であって箱体６の最も下側に位置する部分を構成する。第四分割体４０は、箱体６の背板３の一部となる背板部４１と、箱体６の側板４の一部となる側板部４２と、箱体６のマグネット５の一部となるマグネット部４３と、を備える。
【００４９】
背板部４１は、矩形の平板状に形成されている。そして、複数の分割体７を組み合わせて箱体６とした場合に、背板部４１は、背板３を上下に四等分した場合の、背板部３１の下側であって最も下側に位置する部分を構成する。
【００５０】
側板部４２は、Ｌ字状に形成されている。側板部４２は、第一側板部４２ａと、第二側板部４２ｂと、を有する。第一側板部４２ａと第二側板部４２ｂとは、Ｌ字状に接合されている。そして、第一側板部４２ａ及び第二側板部４２ｂが背板部４１に対して垂直に立ち上がるように、背板部４１の端面が第一側板部４２ａ及び第二側板部４２ｂの側面に接合されている。第一側板部４２ａと第二側板部４２ｂとの接合、第一側板部４２ａ及び第二側板部４２ｂと背板部４１との接合は、特に限定されるものではなく、例えば、接着、嵌合、ねじ止め、これらの組み合わせにより行うことができる。
【００５１】
そして、複数の分割体７を組み合わせて箱体６とした場合に、側板部４２は、第二側板４ｂの少なくとも一部及び第三側板４ｃの少なくとも一部となる。より具体的には、複数の分割体７を組み合わせて箱体６とした場合に、第一側板部４２ａは、第二側板４ｂの一部となり、第二側板部４２ｂは、第三側板４ｃの全てとなる。なお、側板部４２は、箱体６の第一側板４ａ及び第四側板４ｄを構成しない。
【００５２】
マグネット部４３は、背板部４１及び側板部４２に接合されている。より具体的には、マグネット部４３は、背板部４１及び側板部４２の、背板部４１に対して側板部４２が立ち上がる方向とは逆側の面に接合されている。背板部４１及び側板部４２に対するマグネット部４３の接合方法は、特に限定されるものではなく、例えば、接着により行われる。なお、マグネット部４３は、少なくとも背板部４１に接合されていればよく、側板部４２に接合されていなくてもよい。
【００５３】
［マグネット吸着棚の設置方法］
次に、マグネット吸着棚１の設置方法について説明する。
【００５４】
［設置例１］
上述したマグネット吸着棚１を構成する複数の分割体７、つまり、第一分割体１０、第二分割体２０、第三分割体３０及び第四分割体４０を用意する。そして、図１〜図３に示すように、第一分割体１０、第二分割体２０、第三分割体３０及び第四分割体４０が箱体６に組み合わされるように、第一分割体１０のマグネット部１３、第二分割体２０のマグネット部２３、第三分割体３０のマグネット部３３、及び第四分割体４０のマグネット部４３を、磁力吸着可能壁２に吸着させる。これにより、第一分割体１０、第二分割体２０、第三分割体３０及び第四分割体４０のそれぞれは、磁力吸着可能壁２に設置される。そして、マグネット吸着棚１は、箱体６として磁力吸着可能壁２に設置される。
【００５５】
［設置例２］
上述したマグネット吸着棚１を構成する第二分割体２０を用意する。そして、図８に示すように、側板部２２が垂直方向（図８の上下方向）に面するように、第二分割体２０のマグネット部２３を磁力吸着可能壁２に吸着させる。これにより、第二分割体２０は、側板部２２が垂直方向に面するように、磁力吸着可能壁２に設置される。なお、第三分割体３０も、第二分割体２０と同様に設置することができる。
【００５６】
［設置例３］
上述したマグネット吸着棚１を構成する第一分割体１０を用意する。そして、図９に示すように、第一側板部１２ａが垂直方向（図９の上下方向）に面するように、第一分割体１０のマグネット部１３を磁力吸着可能壁２に吸着させる。これにより、第一分割体１０は、第一側板部１２ａが垂直方向に面するように、磁力吸着可能壁２に設置される。この場合、第二側板部１２ｂが垂直方向に面するように、第一分割体１０を磁力吸着可能壁２に設置してもよく、第一側板部１２ａと第二側板部１２ｂとが上方に開口したＶ字状となるように、第一分割体１０を磁力吸着可能壁２に設置してもよい。なお、第四分割体４０も、第一分割体１０と同様に設置することができる。
【００５７】
以上説明したように、本実施形態では、背板３、側板４及びマグネット５を有する箱体６となるように組み合わせることが可能な第一分割体１０、第二分割体２０、第三分割体３０及び第四分割体４０が、それぞれ、背板部１１、背板部２１、背板部３１及び背板部４１と、マグネット部１３、マグネット部２３、マグネット部３３及びマグネット部４３を有する。このため、それぞれ、マグネット部１３、マグネット部２３、マグネット部３３及びマグネット部４３を磁力吸着可能壁２に吸着させることで、第一分割体１０、第二分割体２０、第三分割体３０及び第四分割体４０をそれぞれ磁力吸着可能壁２に設置することができる。このため、例えば、複数の分割体７を箱体６となるように組み合わせて磁力吸着可能壁２に設置することもでき、複数の分割体７をバラバラにして磁力吸着可能壁２に設置することもでき、任意の分割体７のみを磁力吸着可能壁２に設置することもできる。これにより、設置形態の自由度を向上できる。
【００５８】
また、第一分割体１０、第二分割体２０、第三分割体３０及び第四分割体４０が、それぞれ側板４の一部となる側板部１２、側板部２２、側板部３２及び側板部４２を有する。このため、第一分割体１０、第二分割体２０、第三分割体３０及び第四分割体４０を磁力吸着可能壁２に設置することで、第一分割体１０、第二分割体２０、第三分割体３０及び第四分割体４０の側板部１２、側板部２２、側板部３２及び側板部４２が磁力吸着可能壁２から立ち上がった状態とすることができる。これにより、例えば、側板部１２、側板部２２、側板部３２及び側板部４２を棚板として利用することができる。
【００５９】
また、複数の分割体７を組み合わせて箱体６とした場合に、側板４が背板３に対して垂直に立ち上がっているため、第一分割体１０、第二分割体２０、第三分割体３０及び第四分割体４０を磁力吸着可能壁２に設置した際に、側板部１２、側板部２２、側板部３２及び側板部４２が磁力吸着可能壁２に対して垂直に立ち上った状態とすることができる。このため、第一分割体１０、第二分割体２０、第三分割体３０及び第四分割体４０のそれぞれの設置形態を調整することで、側板部１２、側板部２２、側板部３２及び側板部４２を乗せやすくすることができる。また、複数の分割体７を箱体６となるように組み合わせて設置することで、箱体６の内側（枠状の側板４の内周側）に物を乗せやすくなる。
【００６０】
また、複数の分割体７を組み合わせて箱体６とした場合に、側板４が矩形の枠状となるため、使い勝手が更に良くなる。
【００６１】
また、第二分割体２０及び第三分割体３０では、側板部２２及び側板部３２が平板状に形成されているため、すっきりした印象を与えることができる。また、例えば、第二分割体２０及び第三分割体３０の設置形態を調整することで、側板部２２及び側板部３２に物を乗せやすくすることができる。
【００６２】
また、第二分割体２０及び第三分割体３０では、背板部２１及び背板部３１に面する方向から見て、側板部２２及び側板部３２が背板部２１及び背板部３１に対してＴ字状に延びている。このため、側板部２２及び側板部３２が垂直方向に面するように第二分割体２０及び第三分割体３０を磁力吸着可能壁２に設置した際に、背板部２１及び背板部３１に対して側板部２２及び側板部３２をバランスよく支持することができる。
【００６３】
また、第二分割体２０及び第三分割体３０では、側板部２２及び側板部３２に面する方向における背板部２１及び背板部３１の長さが背板部２１及び背板部３１に面する方向における側板部２２及び側板部３２の長さよりも長い。このため、側板部２２及び側板部３２が垂直方向に面するように第二分割体２０及び第三分割体３０を磁力吸着可能壁２に設置した際に、磁力吸着可能壁２に対する側板部２２及び側板部３２の立ち上がり長さに対して、側板部２２及び側板部３２を支持する背板部２１及び背板部３１の支持長さを長くすることができる。これにより、側板部２２及び側板部３２の耐荷重性能を向上することができる。
【００６４】
また、第一分割体１０及び第四分割体４０では、側板部１２及び側板部４２がＬ字状に形成されているため、第一分割体１０及び第四分割体４０の設置形態を調整することで、側板部１２及び側板部４２の何れかの面や、側板部１２及び側板部４２の内隅となる部分に、物を乗せやすくすることができる。
【００６５】
以上、本発明の好適な実施形態について説明したが、本発明は上記実施形態に限定されるものではなく、適宜変更することができる。
【００６６】
例えば、上記実施形態では、全ての分割体が、側板部を備えるものとして説明したが、一部の分割体は側板部を備えていなくてもよい。
【００６７】
また、上記実施形態では、側板部は、平板状又はＬ字状に形成されるものとして説明したが、箱体の形状により適宜変更することができる。例えば、側板部をコ字状に形成すれば、分割体の設置形態を調整することで、側板部の何れかの面や、側板部の何れかの内隅となる部分に、物を乗せやすくすることができる。更に、側板部が上方に開放されるように設置することで、側板部に乗せた物が両サイドから転げ落ちるのを抑制することができる。
【００６８】
また、上記実施形態では、複数の分割体を組み合わせてなる箱体では、側板が、矩形の枠状に形成されて、背板に対して垂直に立ち上がっているものとして説明したが、側板は、円形、三角形、五角形、六角形等の矩形以外の枠状に形成されていてもよく、背板に対して傾斜して立ち上がっていてもよい。
【００６９】
また、上記実施形態では、複数の分割体からなる一組のマグネット吸着棚として説明したが、マグネット吸着棚は複数組で構成されていてもよく、他部材を更に備えていてもよい。例えば、図１０に示すマグネット吸着棚は、第一マグネット吸着棚１Ａと、第二マグネット吸着棚１Ｂと、コルクボード８と、ブロックセット９と、を備える。
【００７０】
図１０及び図１１（ａ）に示すように、第一マグネット吸着棚１Ａは、上述したマグネット吸着棚１と同じものである。図１０及び図１１（ｂ）に示すように、第二マグネット吸着棚１Ｂは、第一マグネット吸着棚１Ａよりも一回り小さいことを除いて、上述したマグネット吸着棚１と同じものである。第二マグネット吸着棚１Ｂの枠状の側板は、第一マグネット吸着棚１Ａの枠状の側板の内周側に挿入可能な大きさとなっている。
【００７１】
図１０及び図１２（ａ）に示すように、コルクボード８は、矩形の枠内にコルクシートがはめ込まれている。コルクシートには、上述したマグネット吸着棚１と同様に、マグネットシートが接合されている。コルクボード８の枠は、第二マグネット吸着棚１Ｂの枠状の側板の内周側に挿入可能な大きさとなっている。図１０及び図１２（ｂ）に示すように、ブロックセット９は、複数のブロックで構成されている。このブロックセット９は、一つの第一ブロック９１と、一つの第二ブロック９２と、四つの第三ブロック９３により構成される。そして、ブロックセット９は、これらの複数のブロックを組み合わせることにより、コルクボード８の枠の内周側に挿入可能な大きさとなっている。
【００７２】
図１２（ｂ）及び図１３（ａ）に示すように、第一ブロック９１は、直方体のブロック本体９１ａにより構成されている。ブロック本体９１ａの細く短い面には、ペンや花などを差し込むことが可能な１つの穴９１ｂが形成されている。また、ブロック本体９１ａの最も広い面には、ブロック本体９１ａを磁力吸着可能壁２等に吸着させるためのマグネット９１ｃが接合されている。図１３（ａ）では、一例として、マグネット９１ｃは、コイン型の磁石であり、ブロック本体９１ａに穿孔された穴に挿入された状態でブロック本体９１ａに接着されたものを示している。
【００７３】
図１２（ｂ）及び図１３（ｂ）に示すように、第二ブロック９２は、直方体のブロック本体９２ａにより構成されている。ブロック本体９２ａの細く長い面には、ペンや花などを差し込むことが可能な３つの穴９２ｂが形成されている。また、ブロック本体９２ａの最も広い面には、ブロック本体９２ａを磁力吸着可能壁２等に吸着させるためのマグネット９２ｃが接合されている。図１３（ｂ）では、一例として、マグネット９２ｃは、コイン型の磁石であり、ブロック本体９２ａに穿孔された穴に挿入された状態でブロック本体９２ａに接着されたものを示している。
【００７４】
図１２（ｂ）及び図１３（ｃ）に示すように、第三ブロック９３は、直方体のブロック本体９３ａにより構成されている。ブロック本体９３ａの細く長い面には、ビー玉などを転がしたり物を引っ掛けたりすることが可能な溝９３ｂが形成されている。また、ブロック本体９３ａの最も広い面には、ブロック本体９３ａを磁力吸着可能壁２等に吸着させるためのマグネット９３ｃが接合されている。図１３（ｃ）では、一例として、マグネット９３ｃは、コイン型の磁石であり、ブロック本体９３ａに穿孔された穴に挿入された状態でブロック本体９３ａに接着されたものを示している。
【００７５】
また、上記実施形態では、背板部は、矩形の平板状に形成されているものとして説明したが、分割体を磁力吸着壁に吸着させた際に、背板部にハンガー等を引っ掛けられるように、背板部の端面に溝部が形成されていてもよく、また、背板部のマグネット側の端縁（角部）にテーパ部が形成されていてもよい。テーパ部は、例えば、背板部のマグネット側の端縁を、直線状又は曲線状にカットすることにより形成することができる。背板部の端面に溝部が形成されていている場合は、当該溝部にハンガー等を容易に引っ掛けることができる。背板部のマグネット側の端縁にテーパ部が形成されている場合は、磁力吸着壁と背板部との間にハンガー等を容易に引っ掛けることができる。
【符号の説明】
【００７６】
１…マグネット吸着棚、１Ａ…第一マグネット吸着棚、１Ｂ…第二マグネット吸着棚、２…磁力吸着可能壁、３…背板、４…側板、４ａ…第一側板、４ｂ…第二側板、４ｃ…第三側板、４ｄ…第四側板、５…マグネット、６…箱体、７…分割体、８…コルクボード、９…ブロックセット、１０…第一分割体、１１…背板部、１２…側板部、１２ａ…第一側板部、１２ｂ…第二側板部、１３…マグネット部、２０…第二分割体、２１…背板部、２２…側板部、２３…マグネット部、３０…第三分割体、３１…背板部、３２…側板部、３３…マグネット部、４０…第四分割体、４１…背板部、４２…側板部、４２ａ…第一側板部、４２ｂ…第二側板部、４３…マグネット部、９１…第一ブロック、９１ａ…ブロック本体、９１ｂ…穴、９１ｃ…マグネット、９２…第二ブロック、９２ａ…ブロック本体、９２ｂ…穴、９２ｃ…マグネット、９３…第三ブロック、９３ａ…ブロック本体、９３ｂ…溝、９３ｃ…マグネット。
【図１】
2020178773.tif 000003
【図２】
2020178773.tif 000004
【図３】
2020178773.tif 000005
【図４】
2020178773.tif 000006
【図５】
2020178773.tif 000007
【図６】
2020178773.tif 000008
【図７】
2020178773.tif 000009
【図８】
2020178773.tif 000010
【図９】
2020178773.tif 000011
【図１０】
2020178773.tif 000012
【図１１】
2020178773.tif 000013
【図１２】
2020178773.tif 000014
【図１３】
2020178773.tif 000015